(57)【要約】【課題】肌に当てて使用する加湿用パッドに対して、温度の立上り速度が速く、所要温度を長い時間維持できるように改良を施す。【解決手段】加湿用パッド１が、第１、第２表面シート２１，２２の間に発熱体２６を有する。発熱体２６は、金属粉と塩類と水とを含み、通気性の第１表面シート２１を介して酸素が供給されると、酸化熱を発生して水を水蒸気に変えることができる。発熱体２６には、塩類と水として、食塩濃度１８〜２２重量％の食塩水を１７．５〜２６重量％含浸させる。【選択図】図１
2007044164.tif 000002
【特許請求の範囲】
【請求項１】
肌に接触させる第１表面シートと、前記第１表面シートの反対側に位置する第２表面シートとの間に少なくとも金属粉と塩類と水と保水材とを含む加湿用発熱体が介在し、前記第１、第２表面シートのうちの少なくとも前記第１表面シートが通気性のものであり、前記発熱体が前記第１表面シートを介して酸素を供給されたときに生じる酸化熱によって前記水から水蒸気を発生させて前記肌を加湿することが可能であり、酸素非透過性のシートによって包装されているパッドであって、
前記塩類と前記水として、食塩濃度が１８〜２２重量％である食塩水を前記発熱体において１７．５〜２６重量％含浸させてあることを特徴とする前記パッド。
【請求項２】
温度が２０±１℃の室内において、前記パッドはその包装を解いてから２０分を経過するまでの間に、少なくとも４ｇの前記水蒸気を発生させる請求項１記載のパッド。
【請求項３】
温度が２０±１℃の室内において、前記パッドはその包装を解いてから３分以内に前記第１表面シートの温度が４０℃に達する請求項１または２記載のパッド。
【発明の詳細な説明】
【技術分野】
【０００１】
この発明は、顔面やその他の肌に適度な温度の水蒸気を供給することができる加湿用パッドに関する。
【背景技術】
【０００２】
従来、顔面等の肌に当てて使用し、その肌に水蒸気を供給することができる加湿用パッドは公知である。例えば、特許文献１には、この種のパッドである水蒸気発生体が開示されている。この水蒸気発生体は、金属粉、塩類および水を含有する発熱体を透湿性シートで被覆したものであって、０．０１ｍｇ／ｃｍ２・ｍｉｎ以上の水蒸気を発生させることができ、その水蒸気の温度は５０℃以下に制御されている。また、特許文献２には、この種パッドであって、顔面に当てて使用するのに好適な変形能力を有するものが開示されている。
【特許文献１】特許第３０４９７０７号公報
【特許文献２】特開２００４−３５８１１０号公報
【発明の開示】
【発明が解決しようとする課題】
【０００３】
加湿用パッドが顔面等に当てて使用するものである場合には、パッドから発生する水蒸気の量や温度の他に、パッドの包装を解いてからパッドが所要の温度に到達するまでの時間（温度の立上り速度）やパッドが所要の温度を維持していることができる時間（温度の持続時間）等が重要視される。しかるに、特許文献１，２には、温度の立上り速度を速めるための手段や温度の持続時間を長くするための手段までは開示されていない。
【０００４】
この発明は、温度の立上り速度を速めたり、温度の持続時間を長くしたりすることが可能な加湿用パッドの提供を課題にしている。
【課題を解決するための手段】
【０００５】
前記課題を解決するために、この発明が対象とするのは、肌に接触させる第１表面シートと、前記第１表面シートの反対側に位置する第２表面シートとの間に少なくとも金属粉と塩類と水と保水材とを含む加湿用発熱体が介在し、前記第１、第２表面シートのうちの少なくとも前記第１表面シートが通気性のものであり、前記発熱体が前記第１表面シートを介して酸素を供給されたときに生じる酸化熱によって前記水から水蒸気を発生させて前記肌を加湿することが可能であり、酸素非透過性のシートによって包装されているパッドである。
【０００６】
かかるパッドにおいて、この発明が特徴とするところは、前記塩類と前記水として、食塩濃度が１８〜２２重量％である食塩水を前記発熱体において１７．５〜２６重量％含浸させてあること、にある。
【０００７】
この発明の好ましい実施態様の一つにおいて、温度が２０±１℃の室内において、前記パッドはその包装を解いてから取り出してから２０分経過するまでの間に、少なくとも４ｇの前記水蒸気を発生させる。
【０００８】
この発明の好ましい実施態様の他の一つにおいて、温度が２０±１℃の室内において、前記パッドはその包装を解いてから３分以内に、前記第１表面シート側の温度が４０℃に達する。
【発明の効果】
【０００９】
この発明に係る加湿用パッドでは、発熱体が食塩濃度１８〜２２重量％の食塩水を１７．５〜２６重量％含むことによって、包装を解いて酸素を供給すると、第１表面シート側の温度が速やかに４０℃に到達し、その後は４０℃以上の温度を長い時間維持することができる。
【００１０】
包装を解いてから２０分経過するまでの間に少なくとも４ｇの水蒸気を発生させることができる態様のパッドであれば、顔面に十分な潤いを与えることができる。
【００１１】
包装を解いてから３分以内に表面温度が４０℃に達する態様のパッドであれば、顔面をスピーディーに温めたり、加湿したりすることができる。
【発明を実施するための最良の形態】
【００１２】
添付の図面を参照して、この発明に係る加湿用パッドの詳細を説明すると、以下のとおりである。
【００１３】
図１は、加湿用パッドの一例である顔面加湿用パッド１の平面図であって、パッド１はその包装（図示せず）を解かれ、図の上下左右に広げられた状態にあり、パッド１を当てるべき顔面５が仮想線で示されている。このパッド１は、左右方向の寸法Ａが２６６ｍｍ、上下方向の寸法Ｂが１３６ｍｍであって、顔面の中心に一致させる中心線Ｏ−Ｏを有し、その中心線Ｏ−Ｏに関して対称に作られている。かかるパッド１は、中心線Ｏ−Ｏを挟んで向かい合う一対の内側加湿部１１ａ，１１ｂを有し、内側加湿部１１ａ，１１ｂそれぞれの外側に外側加湿部１２ａ，１２ｂを有する。これら各加湿部１１ａ，１１ｂ，１２ａ，１２ｂの周囲には、非加湿部１５が形成されている。非加湿部１５には、中心線Ｏ−Ｏ上にあって非加湿部１５をその厚さ方向において貫通する矩形の通気孔１６が形成されている。
【００１４】
図２，３は、図１のＩＩ−ＩＩ線切断面を示す図と、図２において仮想線ＩＩＩで囲まれている部分を拡大して示す図である。図２において、右内側加湿部１１ａと右外側加湿部１２ａとは、実質的に同じ厚さと同じ構造を有しており、図２における上面を形成していて加湿パッド使用者にとっての肌当接側シートである第１表面シート２１（図３参照）がパッド１の使用者の顔面５に当てられる。非加湿部１５は、右内側加湿部１１ａと右外側加湿部１２ａとのいずれよりも薄く、かつ、これら加湿部１１ａ，１２ａが非加湿部１５よりも顔面５に向かって、つまり図の上方に向かって突出した状態になるように形成されている。図２において、表面シート２１の反対側に位置して図２における下面を形成している。第２表面シート２２（図３参照）は、加湿部１１ａ，１２ａと非加湿部１５とにおいてほぼ平坦な状態にある。
【００１５】
図３の右外側加湿部１２ａでは、第１表面シート２１と第２表面シート２２との間に、複数の透孔２３が形成されている温度調節シート２４と、発熱体２６と、断熱シート２７とが図示の如く順に重ねられている。第１表面シート２１には、右外側加湿部１２ａの外側から内部へ向かっての酸素の透過と、内側から外側へ向かっての水蒸気の透過とが可能な通気性シート２１ａの上面に短繊維２１ｂを静電植毛したものが使用されている。その通気性シート２１ａには、ポイントボンド不織布やスパンボンド不織布等の不織布が使用可能であり、短繊維２１ｂには長さ０．５〜２ｍｍ程度の繊維が使用可能である。温度調節シート２４には、発泡プラスチックシート、複数枚の紙やプラスチックフィルムを積層したもの等に直径０．５〜３ｍｍ程度の透孔２３を複数形成したものが使用可能である。発熱体２６は、少なくとも、第１表面シート２１と温度調節シート２４とを介して供給される酸素の存在下に酸化して酸化熱を発生可能な鉄やアルミ等の金属粉と、その酸化に必要な水と、その水を発熱体２６の内部に保持するとともに一様に分布させるためのパルプや木粉、バーミキュライト等の保水材とを含んでいる。発熱体２６は、この他に、促進剤としての活性炭、発熱体２６をシート状のものにするための繊維やバインダー等を含むことが可能であり、さらにはまた、鉄粉等の粉体を通気性シート材料で被覆することも可能である。断熱シート２７には、独立気泡の発泡樹脂シートやプラスチックフィルム等の断熱材料を使用可能である。シート２７は、発熱体２６で発生する熱や水蒸気が第２表面シート２２の側から外へ出ることを防いでいる。第２表面シート２２は、パッド１の取り扱いを容易にするとともにパッド１の肌触りを良好にするためのもので、それには不織布やプラスチックフィルム、不織布が外側となりプラスチックフィルムが内側となっている複合シート等を使用可能である。
【００１６】
右外側加湿部１２ａがこのように形成されているパッド１では、その他の加湿部、すなわち右内側加湿部１１ａや左内側加湿部１１ｂ、左外側加湿部１２ｂも右外側加湿部１２ａと同じ断面構造を有している。一方、図１，２に示されている非加湿部１５は、図３に示された発熱体２６を含まず、また図３に示された各シート材料、すなわち第１表面シート２１、温度調節シート２４、断熱シート２７、第２表面シート２２が加熱下に圧縮されて互いに溶着し、図２の如く薄くなっている。好ましい非加湿部１５は、各加湿部１１ａ，１１ｂ，１２ａ，１２ｂよりも折り曲げることが容易に形成されている。
【００１７】
かようなパッド１は、それに対する外気中の酸素の進入を阻止可能な非通気性のシート材料（図示せず）によって包装された状態で使用者に供給され、使用者は、その包装を解いたなら、通気孔１６を鼻筋に一致させるようにして第１表面シート２１を顔面５に当てる。パッド１は、非加湿部１５において折れ曲がり、各加湿部１１ａ，１１ｂ，１２ａ，１２ｂでは緩やかに湾曲して、顔面５の起伏になじむとともに、右と左の外側加湿部１２ａ，１２ｂの一部分はそれに軽く手を当てると顔面５の側方部分に接触する。パッド１を顔面５に当てている間に、外気中の酸素が第１表面シート２１と温度調節シート２４とを透過して発熱体２６に達する。すると、発熱体２６では、鉄粉等の金属粉が、塩類と水との存在下にその酸素と反応して酸化し、酸化熱を発生する。その酸化熱によって、発熱体２６における水は水蒸気となって温度調節シート２４と第１の表面シート２１を透過して顔面５に供給され、顔面５を温めるとともに、顔面に潤いを与えることができる。発熱体２６で発生した水蒸気は、その温度が８０℃程度になることがあるが、そのように高温の水蒸気は、複数の透孔２３を有する温度調節シート２４を透過させることによって温度を下げ、第１表面シート２１の温度を５０℃前後に制御することが可能である。第１表面シート２１の外に出た水蒸気は、複数の短繊維２１ｂの間を拡散することによって、顔面の広い範囲にわたって一様に供給されるようになる。なお、断熱シート２７や第２表面シート２２は、非通気性のものであるから、水蒸気は第２の表面シート２２の外へ出ることがない。
【００１８】
パッド１が顔面に５に当てて使用するものである場合、発明者が知見したところによれば、水蒸気を発生中のパッド１の表面温度、すなわち第１表面シート２１の温度は４０〜５３℃にあることが好ましく、４８〜５３℃にあることがより好ましい。第１表面シート２１の温度は、２０±１℃、Ｒ．Ｈ．５０％の室内で、日本電子（株）製の温度測定器ＪＴＧ−６３００のサーモグラフカメラを使用して非接触式で測定される。包装を解いた後のパッド１は、表面温度が所要の温度にまで速やかに上昇するものであることが好ましく、具体的には、包装を解いてから３分以内に４０〜５３℃に到達していることが好ましく、４８〜５３℃に到達していることがより好ましい。しかし、パッド１が５４℃以上になること、または４０℃に達しないことは好ましくない。換言すると、パッド１の温度上昇性能の良否は、包装を解いてから表面温度が４０℃に到達するまでの所要時間によって判断することが必要であって、具体的には、その所要時間は３分以内であることが好ましく、２分以内であることがより好ましいが、３分を超えることは好ましくない。パッド１の性能の良否はまた、その表面を所要温度に維持することができる時間によっても判断することが必要である。具体的には、４０℃に到達してから４０℃以下に下がるまでの時間が５分以上であることが好ましい。さらに、パッド１の性能の良否は、所要時間内での水蒸気の発生量によって判断することも必要である。具体的には、包装を解いてから２０分経過するまでの間の水蒸気発生量は少なくとも４ｇであることが好ましく、５ｇ以上であることがより好ましい。水蒸気発生量は、包装を解いた直後のパッド１の重量と２０分経過後のパッド１の重量との差として求められる。
【００１９】
この発明において、かような好ましいパッド１は、各加湿部１１ａ，１１ｂ，１２ａ，１２ｂの発熱体２６において、食塩濃度が１８〜２２重量％の食塩水の含浸量が１７．５〜２６重量％となるように調整することによって得ることが可能である。
【実施例１】
【００２０】
図１の形状のパッド１であって、寸法Ｃが８０ｍｍ、寸法Ｄが１１２ｍｍ、第１表面シート２１の面積が４５．４ｃｍ２の右外側加湿部１２ａを対象にして、加湿部としての特性を評価した。加湿部１２ａは、図３の断面構造を有するもので、第１表面シート２１には、坪量９０〜９７ｇ／ｍ２、厚さ１．５〜２．５ｍｍの植毛不織布を使用した。温度調節シート２４としては、坪量７３ｇ、厚さ３ｍｍ、発泡倍率が３０倍、貫通孔２３の開口率がシート２４の下面において３０％である発泡ポリエチレンシートを使用した。加熱部１２ａにおける発熱体２６は、鉄粉を９５重量％含む他に、残り５重量％として、保水材としてのバーミキュライトと木粉、酸化促進剤としての活性炭を５重量％含む基材と、食塩濃度２０重量％の食塩水とによって作られており、その食塩水は発熱体２６における含浸量が１７．５〜２６重量％となるように変化させた。発熱体２６における食塩水の含浸量が異なる各種の加湿部１２は、アルミ箔をラミネートしたポリエチレンフィルム製の非通気性の袋で包装して密封し、実施例としてのパッドとした。パッドの包装を解いてから、各加湿部についての特性を測定し、その結果を表１に示した。なお、加湿部の周囲には、幅が約５ｍｍの非加熱部を設けておいた。
【００２１】
【表１】
2007044164.tif 000003
【００２２】
表１において、「立上り時間」とは、加湿部が４０℃に達するまでの時間（分）であり、○印は２分以内、△印は２〜３分、×印は３分以上であったことを示す。「持続時間」は、加湿部が４０℃に到達してから４０℃以下になるまでの時間（分）であり、○印はその時間が５分以上であることを示し、×印は５分未満であることを示す。「最高到達温度」は、約１時間の観測時間中における最高到達温度（℃）であって、○印は４８〜５３℃、△印は４０〜４８℃、×印は４０℃未満または５４℃以上であることを示す。「３分後到達温度」は、包装を解いてから３分後に到達した温度であって、○印は４８〜５３℃、△印は４０〜４８℃、×印は４０℃未満または５４℃以上であることを示す。「水蒸気発生量」は、パッド１の包装を解いた後の２０分間で発生した水蒸気量（ｇ）であって、４ｇ以上であることが好ましく、５ｇ以上であることがより好ましい。
【００２３】
表１にはまた、食塩水の含浸量を２６重量％以上にした場合の加湿部と、その量を１５％以下にした場合の加湿部とについての測定結果が比較例１−３として示されている。
【００２４】
図４，５，６は、実施例１−３，４−５、比較例１−３それぞれについての包装を解いてからの経過時間と、加湿部の表面温度との関係を示す図である。
【産業上の利用可能性】
【００２５】
この発明によれば、温度の立ち上がりが速やかで、所要温度を長い時間維持することができる加湿用パッドの生産が可能になる。
【図面の簡単な説明】
【００２６】
【図１】加湿用パッドの平面図。
【図２】図１のＩＩ−ＩＩ線切断面を示す図。
【図３】図２の部分拡大図。
【図４】実施例１−３の測定結果を示す図。
【図５】実施例４−５の測定結果を示す図。
【図６】比較例の測定結果を示す図。
【符号の説明】
【００２７】
１    加湿用パッド
５    顔面
２１    第１表面シート
２２    第２表面シート
２６    発熱体
【図１】
2007044164.tif 000004
【図２】
2007044164.tif 000005
【図３】
2007044164.tif 000006
【図４】
2007044164.tif 000007
【図５】
2007044164.tif 000008
【図６】
2007044164.tif 000009